(57)【要約】【課題】光集積型装置について形状設計の自由度を高めるとともに気密性を保証する。【解決手段】光集積型装置１１において、光源部１５（発光素子１５ａ及び光学部品１５ｂ）が実装されるセラミック基板１６と、光源部１５を覆うためにセラミック基板１６に取り付けられる被覆部材１４と、セラミック基板１６が取り付けられる樹脂パッケージ１２を設ける。セラミック基板１３のうち、光源部１５の周囲に形成された金属接合部１６ａと、被覆部材１４の金属接合部１４ａとを接合するとともに、透明材料で形成された封止部材１７によって、セラミック基板１６に形成された貫通孔１６ｃを閉塞することで、光源部１５を密閉した構造にした。【選択図】        図４
2004311860.tif 000002
【特許請求の範囲】
【請求項１】
発光素子を含む光源部が実装されるとともに該発光素子から出射された光を通すための通過路が形成されたセラミック基板と、該光源部を覆うために該セラミック基板に取り付けられる被覆部材と、樹脂材料で成形されるとともに上記セラミック基板を取り付けるための収容部材を備えた光集積型装置であって、
上記セラミック基板のうち上記光源部の周囲に形成された金属接合部と、上記被覆部材に設けられた金属接合部とを接合するとともに、透明材料で形成された封止部材によって上記通過路を閉塞することで、上記光源部を密閉した構造を有する
ことを特徴とする光集積型装置。
【請求項２】
発光素子を含む光源部が実装されるセラミック基板と、該光源部を覆うために該セラミック基板に取り付けられるとともに該発光素子から出射された光を通すための通過路が形成された被覆部材と、樹脂材料で成形されるとともに上記セラミック基板を取り付けるための収容部材を備えた光集積型装置であって、
上記セラミック基板のうち上記光源部の周囲に形成された金属接合部と、上記被覆部材に設けられた金属接合部とを接合するとともに、透明材料で形成された封止部材によって上記通過路を閉塞することで、上記光源部を密閉した構造を有する
ことを特徴とする光集積型装置。
【請求項３】
請求項１に記載した光集積型装置において、
上記セラミック基板のうち上記収容部材への取付部に伝熱面が設けられており、該伝熱面が上記収容部材に設けられた伝熱部材に接続されている
ことを特徴とする光集積型装置。
【請求項４】
請求項２に記載した光集積型装置において、
上記セラミック基板のうち上記収容部材への取付部に伝熱面が設けられており、該伝熱面が上記収容部材に設けられた伝熱部材に接続されている
ことを特徴とする光集積型装置。
【請求項５】
請求項１に記載した光集積型装置において、
上記収容部材のうち、上記セラミック基板が取り付けられる面とは反対側の面に受光素子が取り付けられている
ことを特徴とする光集積型装置。
【請求項６】
請求項２に記載した光集積型装置において、
上記セラミック基板のうち上記光源部が実装された実装面上に受光素子が配置されている
ことを特徴とする光集積型装置。
【発明の詳細な説明】
【０００１】
【発明の属する技術分野】
本発明は、光集積型装置において、発光素子を含む光源部の気密封止を保証するとともに、パッケージの外形形状を自由に設計できるようにするための技術に関する。
【０００２】
【従来の技術】
半導体レーザ等の光源や、フォトダイオードを用いた受光素子等を含む光集積型素子が知られており、光学デバイスの小型化や薄型化等に好適である。例えば、光学式記録媒体の信号記録や信号再生に用いるヘッド装置（所謂光学ピックアップ）に受発光型素子が用いられている。
【０００３】
この種のデバイスにおいて、発光素子等に対する気密封止を行わない形態（樹脂封止）では、例えば、樹脂モールドにより形成されるパッケージが使用される。つまり、金型による樹脂成形の利点として形状設計上の自由度が高い。但し、外気中の不純物等による影響を排除するために、発光素子等を気密に封止したい場合には、使用材料の特性上充分な気密性が得られなかったり、必要な気密性を得るための接着剤を使用できない等の制約がある。
【０００４】
そこで、例えば、受発光型素子のパッケージングにおいて気密封止を考慮した形態には、セラミック製パッケージを用いて発光素子や受光素子、光学部品等を配置させた上で、封止用ガラスを接着して封止する方法や、金属製パッケージを覆う金属製キャップに対してガラスで封止する方法等が挙げられる。あるいは、発光素子を金属部材に固定するとともに該金属部材を透明部材に取り付ける方法（例えば、特許文献１参照。）が知られている。
【０００５】
【特許文献１】
特開２００１−５２３６４号公報（図１、図２）
【０００６】
【発明が解決しようとする課題】
しかしながら、従来の形態にあっては、素子の外形形状に係る設計の自由度や気密性に関して、下記に示すような問題がある。
【０００７】
例えば、セラミック製や金属製のパッケージを用いる構成形態では、複雑な形状を得ることが困難であり、パッケージ全体の気密性を確保する必要がある。また、発光素子等が実装された基板を、その被覆部材で覆うことで気密封止する構成形態において、両者を接着する場合には気密性を確認するのが困難であったり、環境変化や経年変化等を考慮した工程管理が必要とされる。
【０００８】
そこで、本発明は、光集積型装置の形状設計の自由度を高めるとともに気密性を保証することを課題とする。
【０００９】
【課題を解決するための手段】
本発明は、上記した課題を解決するために、下記に示す構成を備えたものである。
【００１０】
・発光素子を含む光源部が実装されるセラミック基板と、該光源部を覆うために該セラミック基板に取り付けられる被覆部材と、該セラミック基板が取り付けられる樹脂成形の収容部材を備えていること。
【００１１】
・セラミック基板のうち、光源部の周囲に形成された金属接合部と、被覆部材の金属接合部とを接合するとともに、透明材料で形成された封止部材によって、セラミック基板又は被覆部材に形成された通過路（例えば、発光素子から出射された光を通すための孔や切欠等）を閉塞することで、光源部を密閉した構造を有すること。
【００１２】
従って、本発明によれば、光源部をセラミック基板に実装したものを樹脂成形の収容部材に取り付けることにより外形形状の設計自由度を高めることができる。また、セラミック基板及び被覆部材にそれぞれ形成された金属の接合部同士を接合させることによって高い気密性を得ることができるとともに、発光素子や光学部品とその周辺を含む必要範囲のみについて気密封止を実現できる。
【００１３】
【発明の実施の形態】
本発明は、発光素子や光学部品等の気密封止を必要とする範囲を最小限に抑えることで、十分な気密性を保証し、光集積型装置の小型化や高性能化等を可能とするものである。
【００１４】
図１は、本発明に係る光集積型装置の一例として、発光素子及び受光素子を備えた受発光型デバイスの構成について概略的に示している。
【００１５】
光集積型装置１は、光源部２が実装された基板３と、光源部２を覆うために基板３に取り付けられた被覆部材４と、基板３が取り付けられる収容部材（パッケージ）５を備えている。
【００１６】
本例では、光源部２が発光素子２ａ（半導体レーザ等）と、光学部品２ｂ（プリズムミラー等）を有しており、これらは被覆部材４と基板３との間に形成される空間内に閉じ込められた状態とされる。また、基板３には、発光素子２ａから出射された光を通すための通過路３ａとして貫通孔が形成されており、該貫通孔は、透明材料で形成された封止（用）部材６によって閉じられている。
【００１７】
樹脂材料を用いて成形される収容部材５に対して光学ブロック７が取り付けられている。光学ブロック７は２つの光学部材８、９を用いて構成されており、その一方の光学部材８がベース部とされ、その上に載置された光学部材９が複合プリズムとされる。尚、収容部材５に固定される光学部材８には各種の光学素子（回折格子、波長板、レンズ等）が設けられ、また、光学部材９には、光分岐膜や偏光分離膜、波長板等が設けられる。
【００１８】
受光素子１０は収容部材５に取り付けられており、光学ブロック７を透過した光の検出を行う。
【００１９】
光集積型装置１については、各種の光学機器や計測機器、光学式記録再生装置等に用いることができるが、例えば、光学式記録媒体（光ディスクや光磁気ディスク、相変化型ディスク等）への信号記録や信号再生に用いる光学式ヘッド装置を例にして説明すると、発光素子２ａから発した光が光学部品２ｂによって９０゜の光路変更を受けた後で、光学部材８に設けられた複数の光学素子を透過し、複合プリズム内の偏光分離膜を経てディスクに向けて出射される。出射光は外部のレンズ系（対物レンズを含む。）からディスクの記録面に照射され、該記録面で反射された後の戻り光が、複合プリズム（光学部材９）内の偏光分離膜で反射されてから該プリズム内の光分岐膜等を経た後、回折光等が受光素子１０に到達して検出される。
【００２０】
本発明において、基板上に実装される光源部を気密封止するための構造としては、例えば、下記に示す形態が挙げられる。
【００２１】
（Ｉ）基板上で光源部が実装された実装面に被覆部材を取り付けるとともに、発光素子から出射された光を通すための通過路を基板に形成して、これを封止部材で閉塞する構成形態
（ＩＩ）基板上で光源部が実装された実装面に被覆部材を取り付けるとともに、発光素子から出射された光を通すための通過路を被覆部材に形成して、これを封止部材で閉塞する構成形態。
【００２２】
図２乃至図４は上記形態（Ｉ）の構成例を示しており、図２は要部（光学ブロックを除く部分）をパッケージの背面側から示した分解斜視図、図３は要部を概略的に示す断面図、図４は光源部の気密封止について要部を示す図である（被覆部材と基板とを分離した状態を示す。）。
【００２３】
図２に示すように、光集積型装置１１は、端子部を有する樹脂パッケージ１２と、光源部が実装された基板部１３と、該基板部１３に取り付けられる被覆部材（キャップ）１４を備えている。
【００２４】
樹脂製モールド部品とされる樹脂パッケージ１２は、素子の機械的な固定や端子のひき出し、放熱や外部雰囲気からの保護等の機能をもつ。例えば、複数の入出力端子やリードフレーム等をインサート成形したものであり、所望のピン数をもって外部にひき出された端子部１２ａが外部回路との電気的な接続用に設けられている。樹脂パッケージ１２は、図示しない外部部品（例えば、光学ピックアップの構成部材）との接合用に基準板を備えており、本例では、金属材料で形成されたリードフレーム１２ｂ、１２ｂが用いられている。尚、この基準板は、樹脂パッケージを他の部材に取り付ける際の機械的な保持の役目をもつ他、基板部１３において光源部や受光素子等から発生する熱を外部の部材に伝達することで放熱する役目を有している。
【００２５】
基板部１３は、光源部１５、セラミック基板１６、封止部材１７（図３、図４参照）を用いて構成される。
【００２６】
本例では光源部１５がレーザ光源とされて、発光素子１５ａには、レーザチップがマウント部材に搭載されたレーザダイオードが用いられている。そして、光源部１５を構成する光学部品１５ｂとして、レーザチップの出射端面に面した反射面をもったプリズムミラー（所謂立ち上げミラー）が用いられていて、レーザチップの発する光を反射させることでレーザ端面に垂直な方向に対して９０゜の光路変更が行われる。
【００２７】
セラミック基板１６は、例えば、多層基板とされ、気体や液体を遮断するのに適した材料（アルミナやアルミナイトライド等）が用いられる。セラミック基板１６のうち、光源部１５がマウントされる実装面には、光源部１５の実装範囲の周囲に金属接合部１６ａが形成されている。つまり、本例では、実装面上でレーザダイオードやプリズムミラーが配置される部分を取り囲むようにして、閉ループ（無端）状の金属接合部１６ａが金属膜の蒸着やメッキ等で形成されている。また、セラミック基板１６には、光源部１５から出射された光を通すための通過路１６ｂを構成する貫通孔１６ｃが形成されている（図３、図４参照）。
【００２８】
封止部材１７は、透明材料（ガラスや高融点の樹脂材料等）を用いて形成されており、本例では、セラミック基板１６のうち、光源部１５とは反対側の面に取り付けられている。この封止部材１７によって上記貫通孔１６ｃの開口が塞がれた状態になる。
【００２９】
被覆部材１４は、光源部１５を覆うためにセラミック基板１６に取り付けられる。そのために、上記した金属接合部１６ａに対応する金属接合部１４ａを有する。本例では、図２に示すように、被覆部材１４が開口を有する直方体状をなし、その開口縁が金属接合部１４ａとされて上記金属接合部１６ａに対応する形状を有している。被覆部材１４には金属材料やガラス材料、樹脂材料等を用いることができ、金属材料の場合には、開口縁そのものが金属接合部１４ａであり、またガラス材料等の場合には、開口縁において金属膜等を形成した部分が金属接合部１４ａとされる。
【００３０】
基板部１３における光源部１５の気密封止は、セラミック基板１６の金属接合部１６ａと、被覆部材１４の金属接合部１４ａとを接合するとともに、封止部材１７によってセラミック基板１６の通過路１６ｂを閉塞することで行われる。つまり、金属接合部１６ａと１４ａを半田や溶接等で接合することで完全な気密封止が得られ、また、貫通孔１６ｃの開口に対して封止部材１７を構成する透明基材を接着するか、あるいはセラミック基板１６と封止部材１７と接合面に金属膜等を形成して半田等で接合することによって、光源部１５を密閉した構造が得られる。
【００３１】
尚、被覆部材１４とセラミック基板１６との接合を接着で行うことも可能であるが、接着代（接合部の幅）を十分に確保できない場合には気密性を保証することが難しくなるので、本例のように、金属の接合部同士を接合する形態が好ましい。
【００３２】
次に、光源部１５への給電について図４を用いて説明すると、本例では、セラミック基板１６が２層構造とされ、１層目と２層目に亘る配線によって発光素子等の実装面とその裏面（封止部材１７が取り付けられる面）とを電気的に接続することができる。つまり、セラミック基板１６の第１層「１６＿１」の表面には、発光素子１５ａとの接続用に端子１８が設けられており、これが第１層「１６＿１」と第２層「１６＿２」との間に形成される配線パターン１９を介して第２層「１６＿２」の裏面側に設けられた端子２０に繋がっている。この端子２０は樹脂モールド１２の外部接続用端子に接続され、図示しない回路（レーザ駆動回路等）からの電源供給が行われると、発光素子１５ａが発光し、その光が光学部品１５ｂで反射されることで９０゜の角度をもって光路変更を受けた後、貫通孔１６ｃを通過し、さらに封止部材１７を透過して外部に出射されることになる。
【００３３】
尚、セラミック基板の代わりに、金属基板を用いることも可能であるが、その場合には、基板に貫通孔を形成するとともに該基板に接触しないように、金属端子を貫通孔に挿通させた上で該金属端子と基板との間に低融点ガラス等の絶縁材料を介在させて固定する必要があり、配線工程が複雑化し、また気密性の確認等も容易でない。セラミック基板の使用は、金属基板に比べて電極や配線に係る配置上の自由度が高く、また、気体や液体を遮断することによる気密性の観点からも好ましい。
【００３４】
基板部１３は、図３に示すように、樹脂パッケージ１２に取り付けられる。つまり、図中の「Ｓ」はインサート成形される樹脂パッケージ１２の基準面（レーザ光の出射方向からみた場合の背面）を示しており、気密封止された光源部１５を有する基板部１３は、基準面「Ｓ」上において、半田やＡｇ（銀）ペースト等の熱伝達性の良好な固定用材料を用いて所定位置に固定される。そして、樹脂パッケージ１２に設けられた入出力用端子についてはワイヤーボンディング等により配線が行われる。
【００３５】
尚、本例において、受光素子２１は、樹脂パッケージ１２において基板部１３とは反対側の面に取り付けられている。つまり、セラミック基板１６の実装面に対して直交する方向（レーザ光の出射方向に平行な方向）において、発光素子１５ａの発光点位置と、受光素子２１の受光面位置との間に光学的な距離差を意図的に設けることで光学設計が容易になる等の利点が得られる。
【００３６】
セラミック基板１６のうち樹脂パッケージ１２への取付部には金属等によって伝熱面２２、２２（図４参照）を設け、該伝熱面を樹脂製パッケージ１２に設けられた伝熱部材（熱伝導率の高い部材）２３、２３にそれぞれ接続させることが、光源部１５に係る放熱対策として好ましい。尚、本例では伝熱部材として金属製のリードフレーム１２ｂを利用して外部に熱を伝達している。
【００３７】
次に、上記形態（ＩＩ）の構成例について、図５及び図６を用いて説明する。尚、本例に示す光集積型装置１１Ａが上記した光集積型装置１１と相違する事項は以下の通りである（よって、両者の間で相違しない部分については光集積型装置１１について使用した符号と同じ符号を用いることによってその詳細な説明を省略する。）。
【００３８】
（ａ）セラミック基板１６Ａ上に実装された光源部１５を被う被覆部材１４Ａに通過路２４が設けられており、該通過路を構成する貫通孔２４ａが透明の封止部材２５により閉塞されていること
（ｂ）セラミック基板１６Ａ上に受光素子２１が実装されており、該受光素子及び気密封止された光源部１５を有する基板部１３Ａが、樹脂パッケージ１２Ａに設けられた基準板（リードフレーム等）における基準面（図５の「Ｓ」参照）上に取り付けられていること。
【００３９】
つまり、前記した光集積型装置１１では、光源部１５から外部に出射される光に対向する方向からみて、基板部１３が樹脂パッケージ１２の裏面側に配置されているのに対して、本例に示す光集積型装置１１Ａでは、光源部１５から外部に出射される光に対向する方向からみて、基板部１３Ａが樹脂パッケージ１２Ａの表面側に設定される基準面上に配置される。
【００４０】
そして、図６に示すように、セラミック基板１６Ａのうち、光源部１５の周囲に形成された金属接合部２６と、被覆部材１４Ａを構成する金属接合部２７を半田や溶接等で接合することによって被覆部材１４Ａがセラミック基板１６Ａに固定される。封止部材２５によって被覆部材１４Ａの貫通孔２４ａを閉塞することで、光源部１５を密閉した構造が得られる。尚、本例では、封止用ガラスリッドの一部２５ａを貫通孔２４ａに嵌合させて接着等により固定している。
【００４１】
光源部１５への給電については、図６に示すように、セラミック基板１６Ａが２層構造とされ、セラミック基板１６Ａの第１層「１６Ａ＿１」の表面（実装面）には、発光素子１５ａとの接続用に端子２８が設けられており、これが第１層「１６Ａ＿１」と第２層「１６Ａ＿２」との間に形成される配線パターン２９を経て第１層「１６Ａ＿１」の表面に設けられた端子３０に繋がっている。この端子３０は樹脂パッケージ１２Ａの外部接続用端子に接続されており、図示しない回路（レーザ駆動回路等）からの電源供給が行われると、発光素子１５ａが発光し、その光が光学部品１５ｂにより９０゜の角度をもって光路変更を受けた後、貫通孔２４ａ及び封止部材２５を透過して外部に出射される。
【００４２】
また、受光素子２１はセラミック基板１６Ａ上において光源部１５が実装される面上に配置されているが、これは光学設計上（例えば、短波長レーザ等を用いる場合等）、光源部１５の出射方向に対して平行な方向（基板１６Ａの実装面に対して垂直な方向）において、発光素子１５ａの発光点位置と受光素子２１の受光面の位置が同じか又は両者が近い位置となるように設計しなければならない場合を例示している。
【００４３】
本例では、光源部１５と受光素子２１の両者を同一基板上に実装できるように、長手方向に沿う基板の長さを十分に確保した上で、光源部１５と同じ実装面上に受光素子２１を配置させることにより、該実装面に対して直交する方向における、発光点位置と受光面位置を同じ位置（高さ）に設定することが可能である。
【００４４】
上記した構成によれば、下記に示す各種の利点を得ることができる。
【００４５】
・光集積型装置において、レーザダイオード等のように封止を必要とする部分だけを気密構造とし、封止を必要としない部分については樹脂モールドによるパッケージとして外形形状を自由に設計することができる。そして、気密封止を要する部分を最小限に抑えることによって、光集積型装置の小型化が可能である。
【００４６】
・封止すべき部分の占有体積を少なくすることで効率の良い気密を実現できる。
【００４７】
・樹脂パッケージ内に気密封止部分を設けることができるので、設計自由度が高い。
【００４８】
・熱伝達性の良いセラミック基板を使用することによって、熱源となる素子を基板に実装した場合に放熱性を高めることができる。
【００４９】
・樹脂パッケージのうち、セラミック基板が取り付けられる面とは反対側の面に受光素子を配置することで光学設計が容易になる。また、設計仕様によってはセラミック基板のうち発光素子が実装される実装面上に受光素子を配置させることもできる。
【００５０】
尚、上記に説明した構成例では、発光素子や光学部品を被覆部材で覆うようにした形態を示したが、これに限らず、発光素子の出力モニター用回路部や温度検出部等を発光素子とともに被覆部材で覆うといった、各種態様での実施が可能であることは勿論である。
【００５１】
【発明の効果】
以上に記載したところから明らかなように、請求項１や請求項２に係る発明によれば、光源部をセラミック基板に実装した部分において該光源部を被覆部材及び封止部材で気密封止することができ、気密性を要しない部分についは樹脂成形の収容部材を用いることにより外形の形状設計を自由に行うことができるので、小型化等に適している。
【００５２】
請求項３や請求項４に係る発明によれば、光源部で発生する熱をセラミック基板から伝熱部材に伝達することで、放熱性を高め、高性能及び高信頼性を得ることができる。
【００５３】
請求項５や請求項６に係る発明によれば、光源部の実装面に対して直交する方向における発光素子と受光素子との相対的な位置関係を、光学設計上の要請に応じて規定することができる。
【図面の簡単な説明】
【図１】本発明に係る光集積型装置の構成例を示す概略図である。
【図２】図３、図４とともに、本発明に係る構成形態の一例を示すものであり、本図は要部を示す分解斜視図である。
【図３】要部の断面図である。
【図４】光源部の気密封止について説明するための図である。
【図５】図６とともに、本発明に係る構成形態の別例を示すものであり、要部の断面図である。
【図６】光源部の気密封止について説明するための図である。
【符号の説明】
１…光集積型装置、２…光源部、２ａ…発光素子、３…基板、３ａ…通過路、４…被覆部材、５…収容部材、６…封止部材、１０…受光素子、１１…光集積型装置、１４…被覆部材、１４ａ…金属接合部、１５…光源部、１５ａ…発光素子、１６…セラミック基板、１６ａ…金属接合部、１６ｂ…通過路、１７…封止部材、２１…受光素子、２２…伝熱面、２３…伝熱部材、１１Ａ…光集積型装置、１４Ａ…被覆部材、１６Ａ…セラミック基板、２４…通過路、２５…封止部材、２６、２７…金属接合部
【図１】
2004311860.tif 000003
【図２】
2004311860.tif 000004
【図３】
2004311860.tif 000005
【図４】
2004311860.tif 000006
【図５】
2004311860.tif 000007
【図６】
2004311860.tif 000008